(57)【要約】      （修正有）【課題】紙幣識別部およびプッシャ部が本体フレームから容易に外れることのない構造にする。【解決手段】プッシャ部３０が紙幣識別装置の本体フレームに固定されるとき、プッシャフレームのカバー部３８が紙幣識別部のロック解除操作部を覆い隠し、ロック機構のフック部３４が本体フレームの係止孔に係止される。板ばね部３６の基部３５をフック部３４よりも紙幣識別部の側に設けてプッシャフレームを本体フレームから取り外す方向（紙幣識別部から離れる方向）にロック解除操作レバー３７を操作したときには、板ばね部３６が基部３５を支点にしてフック部３４が本体フレームに寄りかかる方向に変形されるので、フック部３４が本体フレームの係止孔から外れることはない。そのため、ロック解除操作部が隠された紙幣識別部および取り外す方向での操作ではフック部３４が外れないプッシャ部３０は、本体フレームから容易に外れることがない。【選択図】図４
2010113484.tif 000002
【特許請求の範囲】
【請求項１】
投入された紙幣を識別する紙幣識別部と、識別された紙幣を紙幣収納部へ押し込むプッシャ部とが互いに隣接して本体フレームに着脱可能に取り付けられている紙幣識別装置において、
前記プッシャ部のプッシャフレームは、その側面に突設されたガイドピンが前記本体フレームの側壁に形成されたＬ字状の切欠きガイドに案内されながら前記本体フレームに取り付けられた前記紙幣識別部に向けて前記本体フレームを移動させたときに、前記本体フレームに形成された係止孔に係止されて前記紙幣識別部から離れる方向の移動を規制するロック機構を備え、
前記ロック機構は、前記本体フレームの前記係止孔に係止されるフック部と、先端に前記フック部を担持し、基部が前記プッシャフレームに固定された板ばね部と、一端が前記フック部に連結され、他端が前記プッシャフレーム内に延出されて前記フック部が前記係止孔から外れるように前記板ばね部を変形させることができるロック解除操作レバーとを有し、前記板ばね部の前記基部を前記フック部よりも前記紙幣識別部の側に設けたことを特徴とする紙幣識別装置。
【請求項２】
前記ロック機構の前記フック部、前記板ばね部および前記ロック解除操作レバーは、前記プッシャフレームと一体に樹脂成形されている請求項１記載の紙幣識別装置。
【請求項３】
前記フック部が前記係止孔に係止される位置は、前記プッシャフレームが前記本体フレームに取り付けられた前記紙幣識別部のロック解除操作部を覆うように前記紙幣識別部に連結される位置である請求項１記載の紙幣識別装置。
【発明の詳細な説明】
【技術分野】
【０００１】
本発明は紙幣識別装置に関し、特に自動販売機などにおいて投入された紙幣を識別して収納する処理を行う紙幣識別装置に関する。
【背景技術】
【０００２】
自動販売機では、その正面の扉の裏側に紙幣識別装置が取り付けられている。紙幣識別装置は、投入された紙幣を識別する紙幣識別部と、識別された紙幣を収納しておく紙幣収納部と、紙幣識別部を通過して紙幣収納部まで搬送されてきた紙幣を紙幣収納部へ押し込むプッシャ部とを備えている。紙幣識別装置は、その一端に紙幣識別部が配置され、他端側にはその紙幣識別部に隣接して紙幣収納部とプッシャ部とが重なり合った状態で配置され、紙幣識別部で識別された紙幣を紙幣収納部とプッシャ部との間に送り込むように構成されている（たとえば、特許文献１参照）。
【０００３】
紙幣収納部は、本体フレームにプッシャ部のプッシャフレームが取り付けられ、その後、そのプッシャ部に隣接して紙幣識別部が取り付けられ、プッシャフレームに紙幣収納部が装着されて構成される。プッシャフレームは、本体フレームに最初に取り付けられ、取り外すのは、最後になる。そのため、プッシャフレームを本体フレームに固定するロック機構は、ロック解除操作レバーを引っ張るとフック部が外れる方向に作用する構成にしている。これにより、プッシャフレームは、本体フレームから容易に取り外すことができる。また、紙幣識別部についても、本体フレームに対して比較的容易に着脱できるように設けられている。
【特許文献１】特許第４１３６６０５号公報
【発明の開示】
【発明が解決しようとする課題】
【０００４】
しかしながら、たとえば収納紙幣を回収するためにプッシャフレームから紙幣収納部を取り外した状態では、紙幣識別部およびプッシャ部が本体フレームから簡単な操作で容易に外れてしまう構造になっているという問題点があった。
【０００５】
本発明はこのような点に鑑みてなされたものであり、紙幣識別部およびプッシャ部が本体フレームから容易に外れてしまうことのない構造を有する紙幣識別装置を提供することを目的とする。
【課題を解決するための手段】
【０００６】
本発明では上記問題を解決するために、投入された紙幣を識別する紙幣識別部と、識別された紙幣を紙幣収納部へ押し込むプッシャ部とが互いに隣接して本体フレームに着脱可能に取り付けられている紙幣識別装置において、前記プッシャ部のプッシャフレームは、その側面に突設されたガイドピンが前記本体フレームの側壁に形成されたＬ字状の切欠きガイドに案内されながら前記本体フレームに取り付けられた前記紙幣識別部に向けて前記本体フレームを移動させたときに、前記本体フレームに形成された係止孔に係止されて前記紙幣識別部から離れる方向の移動を規制するロック機構を備え、前記ロック機構は、前記本体フレームの前記係止孔に係止されるフック部と、先端に前記フック部を担持し、基部が前記プッシャフレームに固定された板ばね部と、一端が前記フック部に連結され、他端が前記プッシャフレーム内に延出されて前記フック部が前記係止孔から外れるように前記板ばね部を変形させることができるロック解除操作レバーとを有し、前記板ばね部の前記基部を前記フック部よりも前記紙幣識別部の側に設けたことを特徴とする紙幣識別装置が提供される。
【０００７】
このような紙幣識別装置によれば、ロック解除操作レバーをプッシャフレームが外れる方向に操作したとしても、フック部が係止孔に食い込むような方向の力しか発生しない。これにより、プッシャ部およびこれよりも先に取り付けられている紙幣識別部が本体フレームから容易に外れてしまうことはない。
【発明の効果】
【０００８】
本発明のプッシャフレームのロック機構は、板ばね部の基部をフック部よりも紙幣識別部の側に設けたので、ロック解除操作レバーを紙幣識別部から離れる方向に操作したときに基部を支点にしてフック部が本体フレームに寄りかかる方向に板ばね部が変形されることになり、その結果、紙幣識別部およびプッシャ部が本体フレームから容易に外れることがないという利点がある。
【０００９】
また、フック部が係止孔に係止されているとき、プッシャフレームが本体フレームに取り付けられた紙幣識別部のロック解除操作部を覆うようにしたので、本質的に紙幣識別部のロック解除操作部へのアクセスができず、本質的に紙幣識別部を本体フレームから外すことができなくなる。
【発明を実施するための最良の形態】
【００１０】
以下、本発明の実施の形態について、図面を参照して詳細に説明する。
図１は紙幣収納部を取り付ける前の状態を示す紙幣識別装置の斜視図、図２は紙幣識別装置の本体フレームを示す斜視図、図３はプッシャ部のプッシャフレームを示す斜視図、図４はプッシャ部のプッシャフレームを底面側から見た斜視図、図５は図４のＡ部拡大図である。
【００１１】
紙幣識別装置は、図２に示した金属製の本体フレーム１０にユニット別に作られた各種機能部を取り付けて構成される。本体フレーム１０の正面側には、投入された紙幣を引き込んで内部へ搬送する紙幣投入ガイド部１１が設けられ、それに対応する位置の裏面側には、図１に示したように、紙幣識別部２０が設けられている。紙幣識別部２０は、そのフレームの側面の一端側に回転軸２１が突設されており、その他端側には、ロック解除操作部２２が形成され、その外側の面には図示しないフック部が形成されている。紙幣識別部２０は、そのフレームの回転軸２１を本体フレーム１０の切欠き部１２に引っ掛けた状態でその回転軸２１を中心に回転するようにしてフレームを本体フレーム１０に装着すると、ロック解除操作部２２のフック部が本体フレーム１０の係止孔１３に係止され、これによって本体フレーム１０に固定される。このフック部は、両側にあるロック解除操作部２２を指でつまんで内側に変形させることで、本体フレーム１０の係止孔１３から外れ、紙幣識別部２０を本体フレーム１０から取り外すことができる。紙幣識別部２０は、また、そのフレームの内側の面に連結用係止部２３が形成されている。
【００１２】
本体フレーム１０は、また、その両側の側壁に切欠きガイド１４が２対離間して形成され、底面には、２つの係止孔１５が穿設されている。切欠きガイド１４は、側壁の辺縁から底面に向かう切欠きとその下端から紙幣識別部２０へ向かって延びる切欠きとからなるＬ字状の切欠き形状を有している。
【００１３】
本体フレーム１０の裏面側において、紙幣識別部２０に隣接してプッシャ部３０が設けられている。紙幣識別装置は、そのプッシャ部３０に、図示しない紙幣収納部を装着することによって完成される。
【００１４】
プッシャ部３０は、紙幣識別部２０に隣接して本体フレーム１０に装着されるもので、紙幣識別部２０の側を除く三方の側壁と底部とによって囲まれて紙幣収納部を装着することができるプッシャフレーム３１を有している。このプッシャフレーム３１の中には、紙幣識別部２０から搬送されてきた紙幣を紙幣収納部に押し込むことができるよう、底部に関して昇降可能なプッシャプレート３２を備えている。
【００１５】
プッシャフレーム３１は、図３および図４に見られるように、その側面の外側にガイドピン３３が突設されている。これらのガイドピン３３は、プッシャフレーム３１を本体フレーム１０に固定するときに、本体フレーム１０の側壁に形成されたＬ字状の切欠きガイド１４に挿入されて案内されるためのものである。
【００１６】
プッシャフレーム３１は、また、本体フレーム１０に形成された係止孔１５に係脱自在なロック機構を本体フレーム１０の底に対向する面に備えている。このロック機構は、図４および図５に見られるように、本体フレーム１０の係止孔１５に係脱可能なフック部３４と、先端にフック部３４を担持し、基部３５がプッシャフレーム３１に固定された板ばね部３６と、一端がフック部３４に連結され、他端がプッシャフレーム３１内に延出されたロック解除操作レバー３７とを備えている。図３〜５に示すプッシャフレーム３１の全体は、ロック機構のフック部３４、板ばね部３６およびロック解除操作レバー３７を含め、樹脂により一体に成形されている。ここで、板ばね部３６が撓むときの支点となる基部３５は、フック部３４よりも紙幣識別部２０の側に設けられている。
【００１７】
プッシャフレーム３１は、さらに、その側面にて紙幣識別部２０のロック解除操作部２２を外側から覆うためのカバー部３８と、内側に突設されて紙幣識別部２０の連結用係止部２３と係止される連結用係止部３９とを有している。
【００１８】
以上の構成の紙幣識別装置を組み立てるときは、まず、本体フレーム１０に紙幣識別部２０を取り付ける。これは、紙幣識別部２０のフレームの一端が回転軸２１によって本体フレーム１０の切欠き部１２に係止され、他端がフック部によって本体フレーム１０の係止孔１３に係止されることで、本体フレーム１０に固定される。
【００１９】
次に、本体フレーム１０にプッシャ部３０を取り付ける。これは、プッシャフレーム３１のガイドピン３３を本体フレーム１０の側壁に形成された切欠きガイド１４に嵌め、その切欠きガイド１４のＬ字状の形状に沿ってプッシャフレーム３１を動かすことによって固定される。すなわち、ガイドピン３３が切欠きガイド１４に案内されながらプッシャフレーム３１を紙幣識別部２０に向けて移動させると、フック部３４が本体フレーム１０の係止孔１５に係止されることで、本体フレーム１０に固定される。このとき、プッシャフレーム３１は、それを取り外す方向である紙幣識別部２０から離れる方向の移動が規制されることになる。また、フック部３４が本体フレーム１０の係止孔１５に係止されたときには、プッシャフレーム３１の紙幣識別部２０側の端部が紙幣識別部２０のロック解除操作部２２を覆うとともに、連結用係止部３９が連結用係止部２３に係止されて紙幣識別部２０が本体フレーム１０から起き上がる方向の動きを押えている。
【００２０】
図６はプッシャフレームのロック機構の動作を説明する説明図である。この図６において、図の上方は紙幣識別部２０が取り付けられている方向であり、図の下方はロック機構を解除してプッシャフレーム３１を本体フレーム１０から取り外すときに最初にプッシャフレーム３１を移動させる方向である。
【００２１】
プッシャフレーム３１が本体フレーム１０に固定されているとき、本体フレーム１０の側に突設されているフック部３４が係止孔１５の中に位置していることによってそれを担持している板ばね部３６は何ら荷重のかかっていない状態にある。ここで、ロック解除操作レバー３７にプッシャフレーム３１を本体フレーム１０から取り外す方向に外力が加わったとすると、板ばね部３６は、プッシャフレーム３１の底部に固定されている基部３５を中心とした反時計回り方向のモーメントが働いて、フック部３４が担持されている側が本体フレーム１０に寄りかかる方向に撓められることになる。これは、ロック解除操作レバー３７に対してロックを外す方向に操作する方向とは逆である。したがって、ロック解除操作レバー３７をプッシャフレーム３１の取り外し方向に操作しても、その逆方向のロック解除方向に操作しても、それだけでは、プッシャフレーム３１が本体フレーム１０から脱落してしまうことはない。プッシャフレーム３１を本体フレーム１０から取り外すには、ロック解除操作レバー３７をプッシャフレーム３１の取り外し方向とは逆方向に操作しながらプッシャフレーム３１をその取り外し方向に移動させるという２つの同時操作が必要になる。
【００２２】
このため、たとえば紙幣回収時のように、紙幣収納部をプッシャ部３０から取り外した図１に示すような状態で、プッシャフレーム３１が本体フレーム１０から外れる方向、すなわち、紙幣識別部２０から離れる方向にロック解除操作レバー３７を不用意に操作してしまったとしても、ロックが解除されることはない。もちろん、紙幣識別部２０においても、そのロック解除操作部２２がプッシャフレーム３１によって保護されているので、紙幣識別部２０が誤った操作にて外れてしまう虞がない。
【図面の簡単な説明】
【００２３】
【図１】紙幣収納部を取り付ける前の状態を示す紙幣識別装置の斜視図である。
【図２】紙幣識別装置の本体フレームを示す斜視図である。
【図３】プッシャ部のプッシャフレームを示す斜視図である。
【図４】プッシャ部のプッシャフレームを底面側から見た斜視図である。
【図５】図４のＡ部拡大図である。
【図６】プッシャフレームのロック機構の動作を説明する説明図である。
【符号の説明】
【００２４】
１０  本体フレーム
１１  紙幣投入ガイド部
１２  切欠き部
１３  係止孔
１４  切欠きガイド
１５  係止孔
２０  紙幣識別部
２１  回転軸
２２  ロック解除操作部
２３  連結用係止部
３０  プッシャ部
３１  プッシャフレーム
３２  プッシャプレート
３３  ガイドピン
３４  フック部
３５  基部
３６  板ばね部
３７  ロック解除操作レバー
３８  カバー部
３９  連結用係止部
【図１】
2010113484.tif 000003
【図２】
2010113484.tif 000004
【図３】
2010113484.tif 000005
【図４】
2010113484.tif 000006
【図５】
2010113484.tif 000007
【図６】
2010113484.tif 000008